【事件の表示】
　特許第２７９１９１４号「砂杭造成方法とその装置」の請求項１ないし２に係る特許に対する特許異議の申立てについて、次のとおり決定する。
【結論】
　訂正を認める。
　特許第２７９１９１４号の請求項１に係る特許を維持する。
【理由】
第１　手続の経緯
　特許出願　　平成２年５月１８日
　特許権設定登録　平成１０年６月１９日
　　　　　（特許第２７９１９１４号）
　特許異議の申立て（異議申立人不動建設株式会社）　平成１１年２月２５日
　取消理由通知　　　　　　　　　　　　　　　　　　平成１１年７月７日
　意見書及び訂正請求　　　　　　　　　　　　　　　平成１１年８月４日
第２　訂正請求について
　特許権者が求めている訂正の内容は、以下のとおりである。
Ｉ　特許請求の範囲の欄
　【請求項１】を残し、【請求項２】を削除して、
　「特許請求の範囲
【請求項１】砂杭造成用中空管内の下方軸心部に外部からの加圧水の供給により駆動される下向きシリンダを支持固定し、該シリンダのピストンロッド下端部外周には複数枚の砂締固め兼排出翼を放射状に取付け、中空管内に所定量の砂を投入後、該中空管の打込み深度に応じて異なる該管下端部への土圧と大きくとも同等となるような圧力の圧縮空気を該中空管内に供給した状態で、上記排出翼を中空管下端部の内外に一定速度で上下動させることにより、該中空管内の砂を締固めながら管外へ排出させるようにしたことを特徴とする砂杭造成方法。」と訂正する。
ＩＩ　発明の詳細な説明の欄
１、本件発明の名称を、「砂杭造成方法」と訂正する。
２、本件明細書第２頁第１０行（本件特許第２７９１９１４号公報第１頁第２欄第９行）の「本発明は、砂杭造成方法とその装置に関するもので、」を、「本発明は、砂杭造成方法に関するもので、」と訂正する。
第３　訂正の適否について
Ｉ　特許請求の範囲の訂正事項について
　この訂正は、願書に添付した明細書の特許請求の範囲の請求項１及び２のうち、請求項１を残し、請求項２を削除するものであり、特許請求の範囲の減縮を目的とするものである。
　そして、この訂正は、明らかに、願書に添付した明細書又は図面に記載した事項の範囲内の訂正である。
　さらに、この訂正は、実質上特許請求の範囲を拡張し、又は変更するものではない。
ＩＩ　発明の詳細な説明の訂正事項について
　前記訂正事項（１及び２）の訂正は、特許請求の範囲の訂正に伴う訂正であって、明りょうでない記載の釈明にあたり、そして、願書に添付した明細書又は図面に記載した事項の範囲内の訂正であり、さらに、実質上特許請求の範囲を拡張し、又は変更するものではない。
ＩＩＩ　独立特許要件について
　上記訂正は、特許請求の範囲の減縮に該当し、訂正後の本件請求項１に係る発明は、本件特許出願の際独立して特許を受けることができない発明とすることはできない。
ＩＶ　訂正請求の適否についてのまとめ
　上記訂正請求は、特許法第１２０条の４第２項及び第３項で準用する特許法第１２６条第２項、第３項及び第４項の規定に適合するので、本件訂正請求による訂正を認める。
第４　特許異議申立てについて
Ｉ　特許異議申立ての理由の概要
　特許異議申立人は、
　証拠方法として、本件出願前日本国内において頒布された刊行物である
　甲第２号証、特公昭６２−３８４８５号公報
　甲第３号証、特公昭６３−４３５２８号公報
　甲第４号証、特公昭５０−８６１号公報
　甲第５号証、特開昭５５−１１１５２１号公報
を提出し、
　「本件請求項１及び２に係る発明は、本件出願前日本国内において頒布された甲第２号証乃至甲第５号証に記載された発明に基いて、きわめて容易に発明をすることができた発明であるから、本件請求項１及び２に係る発明の特許は、特許法第２９条第２項の規定に違反してされたものである。」
という理由で、本件請求項１及び２に係る発明の特許を取り消すべき旨主張している。
ＩＩ　甲第２号証乃至甲第５号証に記載された発明　
　甲第２号証は、「砂杭造成用中空管内の空気圧制御方法」の発明であって、「砂杭造成用中空管内は圧縮空気を供給して管内の砂を軟弱地盤中に排出させる工程において、中空管内の空気圧が中空管下端における土圧に相当する下限設定圧力とこれより若干大きい上限設定圧力の間におさまるように、給・排気操作を自動制御する点にある。」（第１頁下左欄第１８行〜第２４行）、「１は中空管、２は砂投入ホッパー、３は貫入機、４は空気弁、５は給気管、６は排気管、７は排気弁、…１６は砂排出兼締固め部材、１７は強制上下動機構（例えば油圧シリンダー）である。」（第１頁下右欄第３行〜第１０行）が記載されている。
　甲第３号証は、「海底軟弱地盤改良用砂杭造成装置」の発明であって、「砂杭造成用中空管１…は作業船の船台Ｓ上に上下動自在に懸吊され、その下端部には水ジェットノズル２と復動式水圧シリンダ装置３…が設けられ、シリンダ装置３のピストンロッドの先端には砂排出兼締固め部材４が取付けられている。」（第２頁左欄第３０行〜第３６行）が記載されている。
　甲第４号証は、「圧入式砂杭施工法」の発明であって、「水平及び垂直油圧ジャッキ３、４を管内に挿嵌した後、先づ水平ジャッキ３に油液を圧入すると、その添当板５が突出して管内壁に押し付けられ以て油圧ジャッキ３、４が強く管内に支持される。次に垂直ジャッキ４に油液を圧入するとその押圧板６は垂直に突出し、中詰砂は管下部に向って押圧される。依て管下端の尖沓２が開いて中詰砂が押し出される。」（第１頁右欄第６行〜第１３行）が記載されている。
　甲第５号証は、「砂杭造成工法」の発明であって、「棒体２」、「締固め用アーム４」が記載されている。
ＩＩＩ　本件請求項１及び２に係る発明と、甲第２号証乃至甲第５号証に記載された発明との対比・判断
　本件請求項１に係る発明と、甲第２号証乃至甲第５号証に記載された発明とを対比すると、本件請求項１に係る発明では、「中空管の打込み深度に応じて異なる該管下端部への土圧と大きくとも同等となるような圧力の圧縮空気を該中空管内に供給した状態」で、上記排出翼を中空管下端部の内外に一定速度で上下動させることにより、該中空管内の砂を締固めながら管外へ排出させる点を備えているが、甲第２号証乃至甲第５号証に記載されたいずれの発明においても、この点についての開示がなく、示唆するところもない。
　そして本件請求項１に係る発明は、この点により明細書記載の所定の作用効果を奏するものと認められる。
　よって、本件請求項１に係る発明は、甲第２号証乃至甲第５号証に記載された発明に基いて本件特許出願前に当業者がきわめて容易に発明をすることができた発明であるとすることはできない。
　本件請求項２に係る発明は、訂正により削除されたので、特許異議の申立ての対象が存在しない。
第５　むすび
　以上のとおりであるから、特許異議申立人の主張する理由及び提出した証拠方法によっては、本件請求項１に係る発明の特許を取り消すことはできず、また、他に本件請求項１に係る発明の特許を取り消すべき理由を発見しない。
　よって、結論のとおり決定する。
【異議決定日】
平成１１年８月３０日（１９９９．８．３０）
【訂正の要旨】
　本件訂正は、特許請求の範囲の減縮、及び明りょうでない記載の釈明を目的として、願書に添付された明細書の記載をＩ．及びＩＩ．のように訂正するものである。
Ｉ．特許請求の範囲の減縮を目的として、原特許請求の範囲の請求項１及び２の記載のうち、請求項１を残し、請求項２を削除する。
ＩＩ．明りょうでない記載の釈明を目的として、【発明の詳細な説明】における記載を、下記（１）及び（２）のように訂正する。
（１）、本件発明の名称を、「砂杭造成方法」と訂正する。
（２）、本件明細書第２頁第１０行（本件特許第２７９１９１４号公報第１頁第２欄第９行）の「本発明は、砂杭造成方法とその装置に関するもので、」を、「本発明は、砂杭造成方法に関するもので、」と訂正する。
（５４）【発明の名称】
砂杭造成方法
（５７）【特許請求の範囲】
　（１）砂杭造成用中空管内の下方軸心部に外部からの加圧水の供給により駆動される下向きシリンダを支持固定し、該シリンダのピストンロッド下端部外周には複数枚の砂締固め兼排出翼を放射状に取付け、中空管内に所定量の砂を投入後、該中空管の打込み深度に応じて異なる該管下端部への土圧と大きくとも同等となるような圧力の圧縮空気を該中空管内に供給した状態で、上記排出翼を中空管下端部の内外に一定速度で上下動させることにより、該中空管内の砂を締固めながら管外へ排出させるようにしたことを特徴とする砂杭造成方法。
【発明の詳細な説明】
（イ）技術分野
　本発明は、砂杭造成方法に関するもので、特に砂杭造成用中空管の地盤への打込み深さによって異なる土圧や地盤強度に左右されることなく砂の排出量を常に一定となるように構成したものである。
（ロ）背景技術
　軟弱地盤の改良のために該地盤中に砂杭を造成する砂杭造成用中空管において、中空管内に供給した砂を地盤中に貫入した該中空管下端から地中へ排出させる手段としては、中空管内に圧縮空気を圧入するのが通常であり、またその助勢として例えば特公昭６２−５４９２８号公報のように中空管軸心部に可撓杆を垂下し、該杆下端に水平方向に振動するバイブレーターを中空管下端から下方へ突出するように固設し、管内に投入された砂を排出するときには圧縮空気の吹込みと共にバイブレーターを作動させて管内の砂落ちを良好にすると同時に排出砂を水平方向に締固めるようにしたものもある。
　しかしながら、いずれの方法においても、従来は中空管の打込み深さによって異なる管下端部への土圧や地盤強度によって異なる砂の排出量を単位時間当り一定となるようにするためには、もっぱら管内へ吹込む圧縮空気の圧力を調節することにより行なっていた。
　ところが、中空管下端の深さ位置は分っても、深さによって変化する地盤強度は正確には分らないので、例えば今まで地盤強度が大きくて砂の排出抵抗が大きいので管内空気圧を高くしていたものが、急に地盤強度が弱くなった場合、砂の排出抵抗が急に小さくなるので、砂が急速に排出され、その量に見合う中空管の引抜き操作が間に合わなくなるなどの問題が従来からあった。
（ハ）発明の開示
　本発明は、このように中空管内の砂を排出するために土圧や地盤強度によって管内空気圧を調節しなければならなかった従来の問題点に鑑み、これを簡単に解決することができる方法を提案するものである。
　即ち、従来工法では中空管内の空気圧力によってのみ砂の排出量を調節していたが、本発明法にあっては、圧縮空気は中空管先端への土圧とバランスをとることのみに使用され、砂の排出エネルギーは加圧水によって一定速度で上下動するシリンダのピストンロッド下端部に取付けた複数枚の締固め兼排出翼によるものである。
　以下、本発明法の実施例を図により説明する。
（ニ）実施例
　１は吊り索５に吊持されて昇降自在の砂杭造成用中空管で、該中空管１は上方に逆止弁４付きの砂投入用ホッパー２とバルブ付きの圧縮空気供給管３が取付られ、頭部にはバイブロハンマー６が設置されている。７は中空管１内の下方軸心部に設けられた下向きシリンダで、該シリンダ７は管１内壁に突設された複数の支持部材８により支持固定されている。該シリンダ７のピストンロッド９下端部外周には複数枚（図では４枚）の砂締固め兼排出翼１０が放射状に突設され、該翼１０の各外縁は中空管１内壁に近接している。
　上記下向きシリンダ７は送水管１１ａ，１１ｂによる外部からの水（又は海水）の圧入により駆動され、ロッド９の引込み端においては翼１０は中空管１下端部内に収容されているが、ロッド９の下降端ではそのほとんどが中空管１外に突出するように構成されている。
　しかして、中空管１をバイブロハンマー６により軟弱地盤の所定深度まで打込んだら、砂杭造成を開始する。まず、ホッパー２から所定量の砂を投入し、供給管３より圧縮空気を吹込む。このとき、圧縮空気の管１内圧力は、管１の打込み深さに応じて異なる管１下端に対する土圧と大きくとも同等の圧力をかける。要するに、周囲土壌が管１内へ流入しないような加圧をするだけで、決して管１内の投入砂が管１外へ排出されるような大きな空圧をかけてはならない。
　そこで、その状態で送水管１１からシリンダ７内に加圧水を圧入して排出翼１０を複数回一定速度で上下動させることにより、中空管１内の投入砂の一部を残してほとんどを翼１０との接触抵抗により管１下方へ強制的に押出し排出する。このとき、中空管１も所定長さだけ地盤より引抜く。これにより、排出された砂は同時に排出翼１０によって締固められることにもなる。
　このようにして砂が軟弱地盤中に排出されたら、管１内の圧気を解き、再びホッパー２より所定量砂を投入し、中空管１下端の変位に応じた土圧とバランスを保つ管１内加圧とシリンダ７の作動による砂の排出・締固めならびに中空管１の所定長の引抜きを行ない、以後この操作を繰返して砂杭を造成して行くのである。
　砂排出時における中空管１内の圧縮空気による前記した加圧の度合は、中空管１下端の深度に応じた土圧を計算することによって簡単に決めることができる。
（ホ）発明の効果
　本発明は上述のようにしてなり、中空管内の砂の排出に当たり、該管内の空気圧力を該管下端の打込み深さによって異なる土圧に対して該管内下端部の砂の下向き圧力が大きくとも同等となるように制御し、砂の排出自体はシリンダへの加圧水の圧入によって上下動する複数枚の排出翼により行なわれるので、たとえ地盤強度が大きくても、従来のように砂排出のために管内空圧を上げる必要がないから、急に地盤強度が小さくなったときでも、砂が急激に排出されてしまうような心配がなく、地盤のいかなる状況にも対応できる。
　しかも、本発明では上記のように中空管外への砂の排出と締固めを加圧水により一定速度で上下動する排出翼によって行なうので、常に一定量の砂が排出されることとなり、地盤の状況のいかんにかかわらず常に一定の速度で均質・強固な砂杭を造成して行くことができるのである。
【図面の簡単な説明】
　第１図は本発明法を実施する砂杭造成用中空管の全体説明図、第２図は砂締固め兼排出翼部分の平面説明図、第３図は要部の拡大説明図である。
　　符号説明
　１−砂杭造成用中空管　　　２−ホッパー
　３−圧縮空気供給管　　　　４−逆止弁　　　５−吊り索
　６−バイブロハンマー　　　７−下向きシリンダ
　８−シリンダ支持部材　　　９−ピストンロッド
　１０−砂締固め兼排出翼　１１−加圧水送水管